(57)【要約】      （修正有）【課題】簡単に脚を本体底部に収納して収納にも移動にも便利なストーブを提供する。【解決手段】ストーブは、本体１と複数個のストーブ脚２を含み、ストーブ脚は、それぞれ調節座３を通して本体の底部に連接され、調節座には第一ギヤ（と第二ギヤが備えられ、ストーブ脚の一端は調節座に連接して回すことができ、ストーブ脚が第一ギヤに回される時、ストーブ脚は展開されて本体を支持し、ストーブ脚が第二ギヤに回される時、ストーブ脚が本体底部に収納される。ストーブ脚には円環状の凸部分とスプリングが付いており、スプリングの一端は円環状の凸部分に固定され、反対側は調節座に当てられ、ストーブ脚が第一ギヤと第二ギヤに回される時、スプリングはともに圧縮状態に保持される。【選択図】図１
0003218444.tif 000002
【実用新案登録請求の範囲】
【請求項１】
一種類のストーブ、特徴は本体（１）と複数個の脚（２）を含めることである。
述べられた複数個の脚（２）は分別的に調節座（３）を通して述べられた本体（１）の底部に連接される。述べられた調節座（３）には第一ギャ（３１）と第二ギャ（３２）が備えて、述べられた脚（２）の一端は調節座（３）に連接して回すことが出来る。
述べられた脚（２）が第一ギャ（３１）に回される時、複数個の脚（２）は展開されて本体（１）を支持し、本体（１）が使用できるようになる。脚が第二ギャ（３２）に回される時、複数個の脚（２）が本体底部に収納され、本体（１）の移動に便利である。
【請求項２】
請求項１に記載のストーブにおいて、述べられた脚（２）に円環状の凸部分があって、述べられた脚（２）にはスプリング（２２）がついて、述べられたスプリング（２２）の一端は述べられた円環状の凸部分（２１）に固定され、反対側は述べられた調節座（３）に当てることを特徴とする。
述べられた脚（２）は述べられた第一ギャ（３１）と述べられた第二ギャ（３２）に回される時、述べられたスプリング（２２）はともに圧縮状態である。
【請求項３】
請求項２に記載のストーブにおいて、調節座（３）に近づく述べられたスプリング（２３）の一端には活動円環（２３）がついて、述べられた活動円環（２３）は述べられたストーブ脚（２）について、述べられたスプリング（２２）は述べられた活動円環（２３）を通して述べられた調節座（３）に当てることを特徴とする。
【請求項４】
請求項３に記載のストーブにおいて、述べられた調節座（３）には間隔部（３３）が設置される。述べられた間隔部は第一ギャ（３１）と第二ギャ（３２）の間にあって、述べられた第一ギャ（３１）と第二ギャ（３２）より凸出的に設置されている。
述べられたストーブ脚（２）が述べられた第一ギャ（３１）に回される時、述べられた活動円環（２３）は述べられた間隔部（３３）の一側に当てて、述べられたストーブ脚（２）が述べられた第二ギャ（３２）に回される時、述べられた活動円環（２３）は述べられた間隔部（３３）の反対側に当てることを特徴とする。
【請求項５】
請求項１に記載のストーブにおいて、述べられるストーブ脚（２）の自由端にはシム（２４）が設置され、述べられたストーブ脚（２）が展開される時、述べられたシム（２４）は放置面に張っておくことを特徴とする。
【請求項６】
請求項１に記載のストーブにおいて、述べられたストーブ脚（２）が三本設置されている述べられたストーブ脚（２）の一本が述べられたストーブ（１）底部の一端にあり、その他の述べられたストーブ脚（２）の二本が述べられたストーブ（１）底部の反対側にある。三本の述べられたストーブ脚（２）を締める時、相互的に並行することを特徴とする。
【請求項７】
請求項１〜６に記載のストーブにおいて、二つの活動ラック（４）がついている。述べられた二つの活動ラック（４）は述べられた本体（１）に対して対称的に設置され、連接座（５）を通して本体（１）の両側に連接して回すことが出来る。
述べられた二つの活動ラック（４）が展開される時に物体を放置することが出来る。述べられた二つの活動ラック（４）が締められる時にお互いに頼りになることが出来る。述べられた二つの活動ラック（４）が交錯して締められる時に述べられた本体（１）上部に収納出来ることを特徴とする。
【請求項８】
請求項７に記載のストーブにおいて、述べられた連接座（５）は固定パーツ（５１）、支持パーツ（５２）と連接パーツ（５３）を含める。
述べられた支持パーツ（５２）には貫通溝（５２１）がついている。述べられた固定パーツ（５１）の一端は述べられた本体（１）に連接し、反対側は述べられた貫通溝（５２１）内について回すことが出来る。述べられた連接パーツ（５３）の一端は述べられた貫通溝（５２１）内についてつき、反対側は述べられた活動ラック（４）に連接する。
述べられた活動ラック（４）が展開する時、述べられた固定パーツ（５１）と述べられた連接パーツ（５３）は述べられた貫通溝（５２１）の底部に当てることを特徴とする。
【請求項９】
請求項１〜６に記載のストーブにおいて、述べられた本体（１）の一側にストーブ口がつき、述べられたストーブ口にはストーブドア（６）がついて回すことが出来ることを特徴とする。
【請求項１０】
請求項９に記載のストーブにおいて、述べられたストーブドア（６）には通風口（６１）がつき、述べられた通風口（６１）には通風口（６１）を調節するコントロール（７）がつくことを特徴とする。
【考案の詳細な説明】
【技術分野】
【０００１】
本実用新案は燃焼加熱ストーブ領域に属し、特に一種類のストーブに係る。
【背景技術】
【０００２】
ストーブは家庭用設備として用途広くて、加熱とクーキングに応用される。人々の生活水準が高めるとともに、キャンプと探検はだんだん若者の中で人気があるようになった。キャンプと探検する時、加熱とクーキングの基本的なニーズもあるが、既存のストーブは重く持ち運びも不便であるし、人々のニーズに満脚できない。
【考案の概要】
【考案が解決しようとする課題】
【０００３】
本実用新案は軽くて持ち運びやすいストーブを提供することを目的とする。
【０００４】
この目的のために、本実用新案は以下の技術方案を採用する。
【課題を解決するための手段】
【０００５】
述べられた複数個の脚は分別的に調節座を通して述べられた本体の底部に連接される。述べられた調節座には第一ギャと第二ギャが備えて、述べられた脚の一端は調節座に連接して回すことが出来る。
【０００６】
述べられたストーブ脚を述べられた第一ギャに回す時、述べられた複数個のストーブ脚は展開されストーブ本体を支える。述べられたストーブ脚を述べられた第二ギャに回す時、述べられた複数個のストーブ脚はストーブ本体底部に収納される。
【０００７】
最適として、述べられた脚に円環状の凸部分があって、述べられた脚にはスプリングがついて、述べられたスプリングの一端は述べられた円環状の凸部分に固定され、反対側は述べられた調節座に当てる。述べられた脚は述べられた第一ギャと述べられた第二ギャに回される時、述べられたスプリングはともに圧縮状態である。上記の設置において、ストーブ脚が第一ギャと第二ギャに回す時、スプリングの影響で、摩擦力が増やされる。ストーブ脚の意外活動を避けて、ストーブの放置でも収納でも安全性が高くなる。
【０００８】
最適として、調節座に近づく述べられたスプリングの一端には活動円環がついて、述べられた活動円環は述べられたストーブ脚について、述べられたスプリングは述べられた活動円環を通して述べられた調節座に当てる。
【０００９】
上記活動円環の設置はストーブを使用する過程中にスプリングがストーブ脚から脱出することを避ける。しかも、摩擦力を増加し、スプリングが調節座に対する頼りはもっと強くなる。
【００１０】
述べられた調節座には間隔部が設置される。述べられた間隔部は第一ギャと第二ギャの間にあって、述べられた第一ギャと第二ギャより凸出的に設置されている。述べられたストーブ脚が述べられた第一ギャに回される時、述べられた活動円環は述べられた間隔部の一側に当てて、述べられたストーブ脚が述べられた第二ギャに回される時、述べられた活動円環は述べられた間隔部の反対側に当てる。上記間隔部の設置はストーブ脚が第一ギャと第二ギャの間で滑ることを避け、ストーブ脚の支持力と安全性を高める。
【００１１】
最適として述べられるストーブ脚の自由端にはシムが設置され、述べられたストーブ脚が展開される時、述べられたシムは放置面に張っておく。上記シムの設置はストーブ脚の付着力を増加し、ストーブ本体への支持も安定になる。
【００１２】
述べられたストーブ脚が三本設置されている。述べられたストーブ脚の一本が述べられたストーブ本体底部の一端にあり、その他の述べられたストーブ脚の二本が述べられたストーブ本体底部の反対側にある。三本の述べられたストーブ脚を締める時、相互的に並行する。上記の設置はこうぞうが簡単で、ストーブ脚を展開する時、本体を強く支持する。ストーブ脚を締める時、お互いに影響しないし、コンパクト性に優れる。
【００１３】
最適として、ストーブには二つの活動ラックがついている。述べられた二つの活動ラックは述べられた本体に対して対称的に設置され、連接座（５）を通して本体の両側に連接して回すことが出来る。述べられた二つの活動ラックが展開される時に物体を放置することが出来る。述べられた二つの活動ラックが締められる時にお互いに頼りになることが出来る。述べられた二つの活動ラックが交錯して締められる時に述べられた本体上部に収納出来る。上記の活動ラックの設置は用途多様で、コンパクト性に優れて、放置ラックとして使えるとともに、ハンドルとして持ち運びには便利である。
【００１４】
最適として、述べられた連接座は固定パーツ、支持パーツと連接パーツを含める。述べられた支持パーツには貫通溝がついている。述べられた固定パーツの一端は述べられた本体に連接し、反対側は述べられた貫通溝内について回すことが出来る。述べられた連接パーツの一端は述べられた貫通溝内につき、反対側は述べられた活動ラックに連接する。述べられた活動ラックが展開する時、述べられた固定パーツと述べられた連接パーツは述べられた貫通溝の底部に当てる。上記の連接座構造の設置は、構造が簡単で、活動ラックが展開する時、固定パーツ、支持パーツと連接パーツの頼りで活動ラックへの支持を実現する。活動ラックが閉めるとき、固定パーツ、支持パーツと連接パーツはお互いに影響しない。
【００１５】
最適として、述べられた本体の一側にストーブ口がつき、述べられたストーブ口にはストーブドアがついて回すことが出来る。
【００１６】
最適として、述べられたストーブドアには通風口がつき、述べられた通風口には通風口を調節するコントロールがつく。
【考案の効果】
【００１７】
ストーブの脚は調節座を通して本体と連接し、第一ギャと第二ギャを通して脚を快速的に展開して本体を支えてストーブを利用できるしとともに、簡単的に脚を本体底部に収納してストーブの収納にも移動にも便利である。
【図面の簡単な説明】
【００１８】
【図１】図解１は本実用新案実施例に述べられたストーブのある方向の結構図解。
【図２】図解２は本実用新案実施例に述べられたストーブの反対側の結構図解。
【図３】図解３は本実用新案実施例に述べられたストーブ脚が展開される時の側面図。
【図４】図解４は図解３にある部分Ａを放大した図解。
【図５】図解５は本実用新案実施例に述べられたストーブ脚が締められる時の側面図。
【図６】図解６は図解５にある部分Ｂを放大した図解。
【図７】図解７は本実用新案実施例に述べられたストーブ脚と調節座の分解図。
【図８】図解８は実用新案実施例に述べられたストーブ活動ラックが展開される時の正視図。
【図９】図解９は実用新案実施例に述べられたストーブ活動ラックが対称的に締められる時の結構図解。
【図１０】図解１０は実用新案実施例に述べられたストーブ活動ラックが交錯的に締められる時の正視図。
【図１１】図解１１は実用新案実施例に述べられたストーブ活動ラックと連接座の分解図。
【考案を実施するための形態】
【００１９】
以下は本実用新案の実施例を詳しく紹介する。実施例の例は図解で示され、その中同じと類似な番号は同じと類似な部品或いは同じと類似な功能がある部品を表示する。以下の図解を通して説明された実施例は例として、本実用新案を紹介することを目的とし、本実用新案への制約ではない。
【００２０】
図解を参考に具体的な実施方式を通して、本実用新案の技術方案を説明する。
【００２１】
図解１〜図解１１が示すように、本実用新案は本体１と複数個の脚２を含める一種類のストーブを提供する。複数個の脚（２）は分別的に調節座（３）を通して述べられた本体（１）の底部に連接される。調節座（３）には第一ギャ（３１）と第二ギャ（３２）が備えて、述べられた脚（２）の一端は調節座（３）に連接して回すことが出来る。脚（２）が第一ギャ（３１）に回される時、複数個の脚（２）は展開されて本体を支持し、本体が使用できるようになる。脚が第二ギャ（３２）に回される時、複数個の脚（２）が本体底部に収納され、本体（１）の移動に便利である。
【００２２】
ストーブ脚（２）に円環状の凸部分（２１）があって、ストーブ脚（２）にはスプリング（２２）がつく。スプリング（２２）の一端は述べられた円環状の凸部分（２１）に固定され、反対側は述べられた調節座（３）に当てる。ストーブ脚（２）は第一ギャ（３１）と第二ギャ（３２）に回される時、スプリング（２２）はともに圧縮状態である。上記の設置において、ストーブ脚（２）が第一ギャ（３１）と第二ギャ（３２）に回す時、スプリング（２２）の影響で、摩擦力が増やされる。ストーブ脚（２）の意外活動を避けて、ストーブの放置でも収納でも安全性が高くなる。
【００２３】
具体的に、調節座（３）に近づく述べられたスプリング（２２）の一端には活動円環（２３）がついて、活動円環（２３）はストーブ脚（２）について、スプリング（２２）は活動円環（２３）を通して調節座（３）に当てる。上記活動円環（２３）の設置はストーブを使用する過程中にスプリング（２２）がストーブ脚（２）から脱出することを避ける。しかも、摩擦力を増加し、スプリング（２２）が調節座（３）に対する頼りはもっと強くなる。
【００２４】
より具体的に、調節座（３）には間隔部（３３）が設置される。間隔部（３３）は第一ギャ（３１）と第二ギャ（３２）の間にあって、第一ギャ（３１）と第二ギャ（３２）より凸出的に設置されている；ストーブ脚（２）が第一ギャ（３１）に回される時、活動円環（２３）は述べられた間隔部（３３）の一側に当てて、ストーブ脚（２）が第二ギャ（３２）に回される時、活動円環（２３）は間隔部（３３）の反対側に当てる。上記間隔部（３３）の設置はストーブ脚（２）が第一ギャ（３１）と第二ギャ（３２）の間で滑ることを避け、ストーブ脚（２）の支持力と安全性を高める。
【００２５】
ストーブ脚（２）の自由端にはシム（２４）が設置され、ストーブ脚（２）が展開される時、シム（２４）は放置面に張っておく。上記シム（２４）の設置はストーブ脚（２）の付着力を増加し、ストーブ本体（１）への支持も安定になる。
【００２６】
本実施例では、ストーブ脚（２）が三本設置されている。ストーブ脚（２）の一本がストーブ本体（１）底部の一端にあり、その他のストーブ脚（２）の二本がストーブ本体（１）底部の反対側にある。三本のストーブ脚（２）を締める時、相互的に並行する。上記の設置は構造が簡単で、ストーブ脚（２）を展開する時、本体（１）を強く支持する；ストーブ脚（２）を締める時、お互いに影響しないし、コンパクト性に優れる。
【００２７】
本実用新案では、ストーブには二つの活動ラック（４）がついている。二つの活動ラック（４）は本体（１）に対して対称的に設置され、連接座（５）を通して本体（１）の両側に連接して回すことが出来る。二つの活動ラック（４）が展開される時に物体を放置することが出来る。二つの活動ラック（４）が締められる時にお互いに頼りになることが出来る。二つの活動ラック（４）が交錯して締められる時に本体（１）上部に収納出来る。上記の活動ラック（４）の設置は用途多様で、コンパクト性に優れて、放置ラックとして使えるとともに、ハンドルとして持ち運びには便利である。
【００２８】
具体的に、連接座（５）は固定パーツ（５１）、支持パーツ（５２）と連接パーツ（５３）を含める。支持パーツ（５２）には貫通溝（５２１）がついている。固定パーツ（５１）の一端は本体（１）に連接し、反対側は貫通溝内（５２１）について回すことが出来る。連接パーツ（５３）の一端は貫通溝（５２１）内につき、反対側は活動ラック（４）に連接する。活動ラック（４）が展開する時、固定パーツ（５１）と連接パーツ（５３）は貫通溝（５２１）の底部に当てる。上記の連接座（５）構造の設置は、構造が簡単で、活動ラック（４）が展開する時、固定パーツ（５１）、支持パーツ（５２）と連接パーツ（５３）の頼りで活動ラック（４）への支持を実現する。活動ラック（４）が閉めるとき、固定パーツ（５１）、支持パーツ（５２）と連接パーツ（５３）はお互いに影響しない。
【００２９】
本実施例では、活動ラック（４）が展開される時、自由端は連接端より高くなって、物体の落ちることを防ぐ。
【００３０】
最適として、述べられた本体の一側にストーブ口がつき、述べられたストーブ口にはストーブドアがついて回すことが出来る。
【００３１】
最適として、述べられたストーブドアには通風口がつき、述べられた通風口には通風口を調節するコントロールがつく。
【００３２】
本実用新案では、本体（１）の一側にストーブ口がつき、ストーブ口に回せられるストーブドア（６）がつき、二つの滑動ラック（４）はストーブ口の隣の二つの側面に設置されている。ストーブ本体１の上部に火口１１と煙口１２が設置されている。具体的に、ストーブドア（６）の活動側にカード（６２）がつき、カード（６２）に第一操作柄（６３）が設置され、ストーブ本体（１）にあるストーブ口の方にはカードスロット（１３）がある。ストーブドア（６）を締めた後、使用者は第一操作柄（６３）を握ってカード（６２）を回してカードスロット（１３）に固定しストーブドアを締めた状態を維持する。上記の設置は、構造が簡単で、操作も便利である。
【００３３】
具体的に、ストーブドア（６）に通風口（６１）が設置され、通風口（６１）に風量を調節するコントロール（７）が設置されている。本コントロール（７）は具体的に同じ軸によって回す第二操作柄（７１）とダンパ（７２）を含め、第二操作柄（７１）がストーブドア（６）外側にあって、ダンパ（７２）がストーブドア（６）内側にある。使用者はストーブドア（６）を握って回すと、ダンパ（７２）が同時的に回すという操作を通じてダンパ（７２）が通風口（６１）への遮る程度を調節する。コントロール（７）は上記の設置以外に、ストーブドア（６）と似る門扉結構のような開合装置、或いは通風口（６１）の一側設置されるシュートとシュート内に設置されたダンパがお互いに配合する構造でもいい。
【００３４】
もちろん、上記の実施例は例として、本実用新案を紹介することを目的とし、本実用新案の実施方式の制約ではない。本領域に属する一般的な技術人員に対して、上記の説明を基に、ほかの形式の変化と変動することが出来る。本案では全ての実施方式を挙げることは不可能であるし、上げる必要もない。本実用新案の精神と原則に属するすべての修正、均等交替と改良は本実用新案権利要求の保護範囲以内に属すべきである。
【符号の説明】
【００３５】
１．本体；１１．火口；１２．煙口；１３．カードスロット
２．脚；２１．円環状凸出部；２２．スプリング；２３．活動円環；２４．シム
３．調節座；３１．第一ギャ；３２．第二ギャ；３３．間隔部
４．活動ラック
５．連接座；５１．固定パーツ；５２．支持パーツ；５２１．．貫通溝；５３．連接パーツ
６．ドア；６１．通風口；６２．カード；６３．第一操作柄
７．コントロール；７１．第二操作柄；７２．ダンパ
【図１】
0003218444.tif 000003
【図２】
0003218444.tif 000004
【図３】
0003218444.tif 000005
【図４】
0003218444.tif 000006
【図５】
0003218444.tif 000007
【図６】
0003218444.tif 000008
【図７】
0003218444.tif 000009
【図８】
0003218444.tif 000010
【図９】
0003218444.tif 000011
【図１０】
0003218444.tif 000012
【図１１】
0003218444.tif 000013
【手続補正書】
【提出日】平成30年8月10日(2018.8.10)
【手続補正１】
【補正対象書類名】実用新案登録請求の範囲
【補正対象項目名】全文
【補正方法】変更
【補正の内容】
【実用新案登録請求の範囲】
【請求項１】
ストーブであって、本体（１）と複数個のストーブ脚（２）を含み、
前記複数個のストーブ脚（２）は、それぞれ調節座（３）を通して前記本体（１）の底部に連接され、前記調節座（３）には第一ギヤ（３１）と第二ギヤ（３２）が備えられ、前記ストーブ脚（２）の一端は前記調節座（３）に連接して回すことができ、
前記ストーブ脚（２）が前記第一ギヤ（３１）に回される時、前記複数個のストーブ脚（２）は展開されて前記本体（１）を支持し、前記本体（１）が使用でき、前記ストーブ脚（２）が前記第二ギヤ（３２）に回される時、前記複数個のストーブ脚（２）が本体底部に収納され、前記本体（１）の移動に便利である、ことを特徴とするストーブ。
【請求項２】
前記ストーブ脚（２）に円環状の凸部分（２１）があって、前記ストーブ脚（２）にはスプリング（２２）が付いて、前記スプリング（２２）の一端は前記円環状の凸部分（２１）に固定され、反対側は前記調節座（３）に当てられ、
前記ストーブ脚（２）が前記第一ギヤ（３１）と前記第二ギヤ（３２）に回される時、前記スプリング（２２）はともに圧縮状態である、ことを特徴とする請求項１に記載のストーブ。
【請求項３】
前記調節座（３）に近づく前記スプリング（２２）の一端には活動円環（２３）が付いて、前記活動円環（２３）は前記ストーブ脚（２）に付き、前記スプリング（２２）は前記活動円環（２３）を通して前記調節座（３）に当てる、ことを特徴とする請求項２に記載のストーブ。
【請求項４】
前記調節座（３）には間隔部（３３）が設置され、前記間隔部（３３）は前記第一ギヤ（３１）と前記第二ギヤ（３２）の間にあって、前記第一ギヤ（３１）と前記第二ギヤ（３２）より凸出的に設置され、
前記ストーブ脚（２）が前記第一ギヤ（３１）に回される時、前記活動円環（２３）は前記間隔部（３３）の一側に当てて、前記ストーブ脚（２）が前記第二ギヤ（３２）に回される時、前記活動円環（２３）は前記間隔部（３３）の反対側に当てる、ことを特徴とする請求項３に記載のストーブ。
【請求項５】
前記ストーブ脚（２）の自由端にはシム（２４）が設置され、前記ストーブ脚（２）が展開される時、前記シム（２４）は放置面に張っておく、ことを特徴とする請求項１に記載のストーブ。
【請求項６】
前記ストーブ脚（２）が三本設置されており、前記ストーブ脚（２）の一本が前記本体（１）底部の一端にあり、その他の前記ストーブ脚（２）の二本が前記本体（１）底部の反対側にあり、三本の前記ストーブ脚（２）を締める時、相互的に並行する、ことを特徴とする請求項１に記載のストーブ。
【請求項７】
二つの活動ラック（４）が付いており、前記二つの活動ラック（４）は前記本体（１）に対して対称的に設置され、連接座（５）を通して前記本体（１）の両側に連接して回すことができ、
前記二つの活動ラック（４）が展開される時に物体を放置することができ、前記二つの活動ラック（４）が締められる時に互いに頼りになることができ、前記二つの活動ラック（４）が交錯して締められる時に前記本体（１）上部に収納できる、ことを特徴とする請求項１〜６のいずれか１項に記載のストーブ。
【請求項８】
前記連接座（５）は固定パーツ（５１）、支持パーツ（５２）と連接パーツ（５３）を含み、
前記支持パーツ（５２）には貫通溝（５２１）が付いており、前記固定パーツ（５１）の一端は前記本体（１）に連接し、反対側は前記貫通溝（５２１）内に付いて回すことができ、前記連接パーツ（５３）の一端は前記貫通溝（５２１）内に付き、反対側は前記活動ラック（４）に連接し、
前記活動ラック（４）が展開する時、前記固定パーツ（５１）と前記連接パーツ（５３）は前記貫通溝（５２１）の底部に当てる、ことを特徴とする請求項７に記載のストーブ。
【請求項９】
前記本体（１）の一側にストーブ口が付き、前記ストーブ口にはストーブドア（６）が付いて回すことができる、ことを特徴とする請求項１〜６のいずれか１項に記載のストーブ。
【請求項１０】
前記ストーブドア（６）には通風口（６１）が付き、前記通風口（６１）には通風口（６１）を調節するコントローラ（７）が付く、ことを特徴とする請求項９に記載のストーブ。
【手続補正２】
【補正対象書類名】明細書
【補正対象項目名】全文
【補正方法】変更
【補正の内容】
【考案の詳細な説明】
【技術分野】
【０００１】
本実用新案はストーブに関する。
【背景技術】
【０００２】
ストーブは家庭用設備として用途広くて、加熱とクーキングに応用される。人々の生活水準が高めるとともに、キャンプと探検はだんだん若者の中で人気があるようになった。キャンプと探検する時、加熱とクーキングの基本的なニーズもあるが、既存のストーブは重く持ち運びも不便であるし、人々のニーズに満脚できない。
【考案の概要】
【考案が解決しようとする課題】
【０００３】
本実用新案は軽くて持ち運びやすいストーブを提供することを目的とする。
【０００４】
この目的のために、本実用新案は以下の技術方案を採用する。
【課題を解決するための手段】
【０００５】
述べられた複数個の脚は分別的に調節座を通して述べられた本体の底部に連接される。述べられた調節座には第一ギヤと第二ギヤが備えて、述べられた脚の一端は調節座に連接して回すことが出来る。
【０００６】
述べられたストーブ脚を述べられた第一ギヤに回す時、述べられた複数個のストーブ脚は展開されストーブ本体を支える。述べられたストーブ脚を述べられた第二ギヤに回す時、述べられた複数個のストーブ脚はストーブ本体底部に収納される。
【０００７】
最適として、述べられた脚に円環状の凸部分があって、述べられた脚にはスプリングがついて、述べられたスプリングの一端は述べられた円環状の凸部分に固定され、反対側は述べられた調節座に当てる。述べられた脚は述べられた第一ギヤと述べられた第二ギヤに回される時、述べられたスプリングはともに圧縮状態である。上記の設置において、ストーブ脚が第一ギヤと第二ギヤに回す時、スプリングの影響で、摩擦力が増やされる。ストーブ脚の意外活動を避けて、ストーブの放置でも収納でも安全性が高くなる。
【０００８】
最適として、調節座に近づく述べられたスプリングの一端には活動円環がついて、述べられた活動円環は述べられたストーブ脚について、述べられたスプリングは述べられた活動円環を通して述べられた調節座に当てる。
【０００９】
上記活動円環の設置はストーブを使用する過程中にスプリングがストーブ脚から脱出することを避ける。しかも、摩擦力を増加し、スプリングが調節座に対する頼りはもっと強くなる。
【００１０】
述べられた調節座には間隔部が設置される。述べられた間隔部は第一ギヤと第二ギヤの間にあって、述べられた第一ギヤと第二ギヤより凸出的に設置されている。述べられたストーブ脚が述べられた第一ギヤに回される時、述べられた活動円環は述べられた間隔部の一側に当てて、述べられたストーブ脚が述べられた第二ギヤに回される時、述べられた活動円環は述べられた間隔部の反対側に当てる。上記間隔部の設置はストーブ脚が第一ギヤと第二ギヤの間で滑ることを避け、ストーブ脚の支持力と安全性を高める。
【００１１】
最適として述べられるストーブ脚の自由端にはシムが設置され、述べられたストーブ脚が展開される時、述べられたシムは放置面に張っておく。上記シムの設置はストーブ脚の付着力を増加し、ストーブ本体への支持も安定になる。
【００１２】
述べられたストーブ脚が三本設置されている。述べられたストーブ脚の一本が述べられたストーブ本体底部の一端にあり、その他の述べられたストーブ脚の二本が述べられたストーブ本体底部の反対側にある。三本の述べられたストーブ脚を締める時、相互的に並行する。上記の設置はこうぞうが簡単で、ストーブ脚を展開する時、本体を強く支持する。ストーブ脚を締める時、お互いに影響しないし、コンパクト性に優れる。
【００１３】
最適として、ストーブには二つの活動ラックがついている。述べられた二つの活動ラックは述べられた本体に対して対称的に設置され、連接座（５）を通して本体の両側に連接して回すことが出来る。述べられた二つの活動ラックが展開される時に物体を放置することが出来る。述べられた二つの活動ラックが締められる時にお互いに頼りになることが出来る。述べられた二つの活動ラックが交錯して締められる時に述べられた本体上部に収納出来る。上記の活動ラックの設置は用途多様で、コンパクト性に優れて、放置ラックとして使えるとともに、ハンドルとして持ち運びには便利である。
【００１４】
最適として、述べられた連接座は固定パーツ、支持パーツと連接パーツを含める。述べられた支持パーツには貫通溝がついている。述べられた固定パーツの一端は述べられた本体に連接し、反対側は述べられた貫通溝内について回すことが出来る。述べられた連接パーツの一端は述べられた貫通溝内につき、反対側は述べられた活動ラックに連接する。述べられた活動ラックが展開する時、述べられた固定パーツと述べられた連接パーツは述べられた貫通溝の底部に当てる。上記の連接座構造の設置は、構造が簡単で、活動ラックが展開する時、固定パーツ、支持パーツと連接パーツの頼りで活動ラックへの支持を実現する。活動ラックが閉めるとき、固定パーツ、支持パーツと連接パーツはお互いに影響しない。
【００１５】
最適として、述べられた本体の一側にストーブ口がつき、述べられたストーブ口にはストーブドアがついて回すことが出来る。
【００１６】
最適として、述べられたストーブドアには通風口がつき、述べられた通風口には通風口を調節するコントロールがつく。
【考案の効果】
【００１７】
ストーブの脚は調節座を通して本体と連接し、第一ギヤと第二ギヤを通して脚を快速的に展開して本体を支えてストーブを利用できるしとともに、簡単的に脚を本体底部に収納してストーブの収納にも移動にも便利である。
【図面の簡単な説明】
【００１８】
【図１】図解１は本実用新案実施例に述べられたストーブのある方向の結構図解。
【図２】図解２は本実用新案実施例に述べられたストーブの反対側の結構図解。
【図３】図解３は本実用新案実施例に述べられたストーブ脚が展開される時の側面図    。
【図４】図解４は図解３にある部分Ａを放大した図解。
【図５】図解５は本実用新案実施例に述べられたストーブ脚が締められる時の側面図    。
【図６】図解６は図解５にある部分Ｂを放大した図解。
【図７】図解７は本実用新案実施例に述べられたストーブ脚と調節座の分解図。
【図８】図解８は実用新案実施例に述べられたストーブ活動ラックが展開される時の    正視図。
【図９】図解９は実用新案実施例に述べられたストーブ活動ラックが対称的に締めら    れる時の結構図解。
【図１０】図解１０は実用新案実施例に述べられたストーブ活動ラックが交錯的に締    められる時の正視図。
【図１１】図解１１は実用新案実施例に述べられたストーブ活動ラックと連接座の分    解図。
【考案を実施するための形態】
【００１９】
以下は本実用新案の実施例を詳しく紹介する。実施例の例は図解で示され、その中同じと類似な番号は同じと類似な部品或いは同じと類似な功能がある部品を表示する。以下の図解を通して説明された実施例は例として、本実用新案を紹介することを目的とし、本実用新案への制約ではない。
【００２０】
図解を参考に具体的な実施方式を通して、本実用新案の技術方案を説明する。
【００２１】
図解１〜図解１１が示すように、本実用新案は本体１と複数個の脚２を含める一種類のストーブを提供する。複数個の脚（２）は分別的に調節座（３）を通して述べられた本体（１）の底部に連接される。調節座（３）には第一ギヤ（３１）と第二ギヤ（３２）が備えて、述べられた脚（２）の一端は調節座（３）に連接して回すことが出来る。脚（２）が第一ギヤ（３１）に回される時、複数個の脚（２）は展開されて本体を支持し、本体が使用できるようになる。脚が第二ギヤ（３２）に回される時、複数個の脚（２）が本体底部に収納され、本体（１）の移動に便利である。
【００２２】
ストーブ脚（２）に円環状の凸部分（２１）があって、ストーブ脚（２）にはスプリング（２２）がつく。スプリング（２２）の一端は述べられた円環状の凸部分（２１）に固定され、反対側は述べられた調節座（３）に当てる。ストーブ脚（２）は第一ギヤ（３１）と第二ギヤ（３２）に回される時、スプリング（２２）はともに圧縮状態である。上記の設置において、ストーブ脚（２）が第一ギヤ（３１）と第二ギヤ（３２）に回す時、スプリング（２２）の影響で、摩擦力が増やされる。ストーブ脚（２）の意外活動を避けて、ストーブの放置でも収納でも安全性が高くなる。
【００２３】
具体的に、調節座（３）に近づく述べられたスプリング（２２）の一端には活動円環（２３）がついて、活動円環（２３）はストーブ脚（２）について、スプリング（２２）は活動円環（２３）を通して調節座（３）に当てる。上記活動円環（２３）の設置はストーブを使用する過程中にスプリング（２２）がストーブ脚（２）から脱出することを避ける。しかも、摩擦力を増加し、スプリング（２２）が調節座（３）に対する頼りはもっと強くなる。
【００２４】
より具体的に、調節座（３）には間隔部（３３）が設置される。間隔部（３３）は第一ギヤ（３１）と第二ギヤ（３２）の間にあって、第一ギヤ（３１）と第二ギヤ（３２）より凸出的に設置されている；ストーブ脚（２）が第一ギヤ（３１）に回される時、活動円環（２３）は述べられた間隔部（３３）の一側に当てて、ストーブ脚（２）が第二ギヤ（３２）に回される時、活動円環（２３）は間隔部（３３）の反対側に当てる。上記間隔部（３３）の設置はストーブ脚（２）が第一ギヤ（３１）と第二ギヤ（３２）の間で滑ることを避け、ストーブ脚（２）の支持力と安全性を高める。
【００２５】
ストーブ脚（２）の自由端にはシム（２４）が設置され、ストーブ脚（２）が展開される時、シム（２４）は放置面に張っておく。上記シム（２４）の設置はストーブ脚（２）の付着力を増加し、ストーブ本体（１）への支持も安定になる。
【００２６】
本実施例では、ストーブ脚（２）が三本設置されている。ストーブ脚（２）の一本がストーブ本体（１）底部の一端にあり、その他のストーブ脚（２）の二本がストーブ本体（１）底部の反対側にある。三本のストーブ脚（２）を締める時、相互的に並行する。上記の設置は構造が簡単で、ストーブ脚（２）を展開する時、本体（１）を強く支持する；ストーブ脚（２）を締める時、お互いに影響しないし、コンパクト性に優れる。
【００２７】
本実用新案では、ストーブには二つの活動ラック（４）がついている。二つの活動ラック（４）は本体（１）に対して対称的に設置され、連接座（５）を通して本体（１）の両側に連接して回すことが出来る。二つの活動ラック（４）が展開される時に物体を放置することが出来る。二つの活動ラック（４）が締められる時にお互いに頼りになることが出来る。二つの活動ラック（４）が交錯して締められる時に本体（１）上部に収納出来る。上記の活動ラック（４）の設置は用途多様で、コンパクト性に優れて、放置ラックとして使えるとともに、ハンドルとして持ち運びには便利である。
【００２８】
具体的に、連接座（５）は固定パーツ（５１）、支持パーツ（５２）と連接パーツ（５３）を含める。支持パーツ（５２）には貫通溝（５２１）がついている。固定パーツ（５１）の一端は本体（１）に連接し、反対側は貫通溝内（５２１）について回すことが出来る。連接パーツ（５３）の一端は貫通溝（５２１）内につき、反対側は活動ラック（４）に連接する。活動ラック（４）が展開する時、固定パーツ（５１）と連接パーツ（５３）は貫通溝（５２１）の底部に当てる。上記の連接座（５）構造の設置は、構造が簡単で、活動ラック（４）が展開する時、固定パーツ（５１）、支持パーツ（５２）と連接パーツ（５３）の頼りで活動ラック（４）への支持を実現する。活動ラック（４）が閉めるとき、固定パーツ（５１）、支持パーツ（５２）と連接パーツ（５３）はお互いに影響しない。
【００２９】
本実施例では、活動ラック（４）が展開される時、自由端は連接端より高くなって、物体の落ちることを防ぐ。
【００３０】
最適として、述べられた本体の一側にストーブ口がつき、述べられたストーブ口にはストーブドアがついて回すことが出来る。
【００３１】
最適として、述べられたストーブドアには通風口がつき、述べられた通風口には通風口を調節するコントロールがつく。
【００３２】
本実用新案では、本体（１）の一側にストーブ口がつき、ストーブ口に回せられるストーブドア（６）がつき、二つの滑動ラック（４）はストーブ口の隣の二つの側面に設置されている。ストーブ本体１の上部に火口１１と煙口１２が設置されている。具体的に、ストーブドア（６）の活動側にカード（６２）がつき、カード（６２）に第一操作柄（６３）が設置され、ストーブ本体（１）にあるストーブ口の方にはカードスロット（１３）がある。ストーブドア（６）を締めた後、使用者は第一操作柄（６３）を握ってカード（６２）を回してカードスロット（１３）に固定しストーブドアを締めた状態を維持する。上記の設置は、構造が簡単で、操作も便利である。
【００３３】
具体的に、ストーブドア（６）に通風口（６１）が設置され、通風口（６１）に風量を調節するコントロール（７）が設置されている。本コントロール（７）は具体的に同じ軸によって回す第二操作柄（７１）とダンパ（７２）を含め、第二操作柄（７１）がストーブドア（６）外側にあって、ダンパ（７２）がストーブドア（６）内側にある。使用者はストーブドア（６）を握って回すと、ダンパ（７２）が同時的に回すという操作を通じてダンパ（７２）が通風口（６１）への遮る程度を調節する。コントロール（７）は上記の設置以外に、ストーブドア（６）と似る門扉結構のような開合装置、或いは通風口（６１）の一側設置されるシュートとシュート内に設置されたダンパがお互いに配合する構造でもいい。
【００３４】
もちろん、上記の実施例は例として、本実用新案を紹介することを目的とし、本実用新案の実施方式の制約ではない。本領域に属する一般的な技術人員に対して、上記の説明を基に、ほかの形式の変化と変動することが出来る。本案では全ての実施方式を挙げることは不可能であるし、上げる必要もない。本実用新案の精神と原則に属するすべての修正、均等交替と改良は本実用新案権利要求の保護範囲以内に属すべきである。
【符号の説明】
【００３５】
１．本体；１１．火口；１２．煙口；１３．カードスロット
２．脚；２１．円環状凸出部；２２．スプリング；２３．活動円環；２４．シム
３．調節座；３１．第一ギヤ；３２．第二ギヤ；３３．間隔部
４．活動ラック
５．連接座；５１．固定パーツ；５２．支持パーツ；５２１．．貫通溝；５３．連接パーツ
６．ドア；６１．通風口；６２．カード；６３．第一操作柄
７．コントロール；７１．第二操作柄；７２．ダンパ